(57)【要約】【課題】サーフボードの滑走面にワックスが付着するのを確実に防止でき、コンパクトに畳むこともできるサーフボードの収納体を提供する。【解決手段】サーフボードの収納体（１０）を、サーフボード（２０）のデッキ面（２１）を被覆する第１のカバー部材（１２）と、滑走面（２２）を被覆する第２のカバー部材（１４）とから構成する。第１のカバー部材（１２）の内側には、あて布（１６）を取り外し可能に設ける。サーフボード（２０）を収納する場合は、デッキ面（２１）があて布（１６）に当接するようにする。サーフボード（２０）を取り出したら、あて布（１６）を第１のカバー部材（１２）から取り外す。収納体（１０）は折り畳むことができる。【選択図】  図１
0003159591.tif 000002
【実用新案登録請求の範囲】
【請求項１】
サーフボードを収納する収納体であって、サーフボードのデッキ面が当接する前記収納体の内側部分には、取り外し可能にあて布が取り付けられていることを特徴とするサーフボードの収納体。
【請求項２】
サーフボードを収納する収納体であって、サーフボードのデッキ面が当接する前記収納体の内側の部分にはあて布が設けられ、前記あて布は、少なくともその半分を前記収納体から取り外し、取り外した部分を折り返して、残っている部分に折り重ねることができることを特徴とするサーフボードの収納体。
【請求項３】
請求項１または２に記載の収納体において、該収納体は、その縁部分がファスナにより閉じ合わされている実質的に同じ形状の２枚の可撓性のカバー部材からなり、前記ファスナを所定量だけ開くと、前記２枚のカバー部材はその内側が実質的に完全に露出するように展開できることを特徴とするサーフボードの収納体。
【考案の詳細な説明】
【技術分野】
【０００１】
本考案は、サーフィンに使用されるサーフボードを収納する収納体に関するものである。
【背景技術】
【０００２】
サーフィンに使用されるサーフボード、すなわち波乗り用のボードは劣化を防止したり、容易に持ち運びできるように、運搬時や保管時には専用の収納体に収納される。サーフィンをするときには、サーフボードは収納体から取り出される。サーフボードが取り出された収納体は、車内などに保管される。サーフィンが終了すると、サーフボードは再び収納体に収納される。
【０００３】
サーフボードの一方の面は、サーファーが乗るデッキ面に、他方の面は海水に接する滑走面になっている。デッキ面には、足が滑らないように滑り止め用のワックスが塗布される。一方、滑走面にはワックスは塗布されない。滑走面に滑り止め用のワックスが付着していると、水から受ける抵抗が大きくなってしまい、好ましくないからである。
【０００４】
ところで夏季などの気温が高い時期には、収納体に滑り止め用のワックスが付着して、その結果滑走面にワックスが付着してしまう。より詳しく説明すると、収納体は実質的に同じ形状の２枚の可撓性のカバー状部材から構成され、袋状に閉じることができるようになっている。気温が高いとサーフボードのデッキ面に塗布されているワックスは溶け出して、この一方のカバー状部材、すなわちデッキ面を被覆している第１カバーに付着してしまう。この状態でサーフボードが収納体から取り出され、収納体が折り畳まれると、他方のカバー状部材、すなわち滑走面を被覆する第２カバーが第１カバーに接触する。そうすると、第２カバーにもワックスが付着してしまう。再びサーフボードが収納体に収納されると、ワックスが付着している第２カバーとサーフボードの滑走面が接触して、本来ワックスが塗布されるべきではない滑走面にワックスが付着してしまうことになる。
【０００５】
特許文献１には、サーフボードの滑走面にワックスが付着するのを防止する収納体が記載されている。特許文献１に開示されているサーフボード用の収納体は、デッキ面を被覆する第１被覆部材と、滑走面を被覆する第２被覆部材とから構成されている。この第１被覆部材と第２被覆部材は、サーフボードを収納するときにはサーフボードを挟んで重ね合わされることになるが、サーフボードが取り出されるときには、完全に開かれた状態で維持することができる。すなわち、第１被覆部材と第２被覆部材は、内側が実質的に完全に露出した状態で開くことができ、この状態で維持することができる。従って、第１被覆部材と第２被覆部材が接触することが防止され、第１被覆部材にワックスが付着していても、第２被覆部材にはワックスが付着することはない。そうすると、サーフボードの滑走面にワックスは付着しない。
【先行技術文献】
【特許文献】
【０００６】
【特許文献１】特開２００４−１７４０７２号公報
【考案の概要】
【考案が解決しようとする課題】
【０００７】
ところで、サーフボードが取り出された収納体は、前述のようにサーフィン中は車内に保管されるので、邪魔にならないようにコンパクトに畳まれて、あるいは丸められて保管できることが望ましい。しかしながら、特許文献１に記載された収納体においては、コンパクトに畳まれると滑走面へのワックスの付着を防止することができない。すなわち、収納体をコンパクトに畳むためには、第１被覆部材と第２被覆部材とを互いに重なり合わせる必要があり、そうすると第１被覆部材と第２被覆部材とが密着して第２被覆部材にワックスが付着してしまう。この場合、サーフボードを収納するとき、滑走面にワックスが付着してしまう。
【０００８】
本考案は上述の事情に鑑みてなされたものであり、コンパクトに畳むことができるにもかかわらず、サーフボードの滑走面にワックスが付着するのを確実に防止することができるサーフボードの収納体を提供することを目的としている。
【課題を解決するための手段】
【０００９】
以上の課題を解決するために、本考案は、サーフボードを収納する収納体の、デッキ面が当接する内側部分には、あて布が取り外し可能に取り付けられるように構成される。
すなわち、請求項１に記載の考案は、サーフボードを収納する収納体であって、サーフボードのデッキ面が当接する前記収納体の内側部分には、取り外し可能にあて布が取り付けられるように構成される。
請求項２に記載の考案は、サーフボードを収納する収納体であって、サーフボードのデッキ面が当接する前記収納体の内側の部分にはあて布が設けられ、前記あて布は、少なくともその半分を前記収納体から取り外し、取り外した部分を折り返して、残っている部分に折り重ねるように構成される。
請求項３に記載の考案は、請求項１または２に記載の収納体において、該収納体は、その縁部分がファスナにより閉じ合わされている実質的に同じ形状の２枚の可撓性のカバー部材からなり、前記ファスナを所定量だけ開くと、前記２枚のカバー部材はその内側が実質的に完全に露出するように展開できるように構成される。
【考案の効果】
【００１０】
本考案においては、サーフボードの収納体には、内側にあて布が設けられているので、サーフボードが収納されたときに、デッキ面に塗布されたワックスが収納体の内側に付着するのを防止することができる。つまり、気温が上昇してデッキ面に塗布されたワックスが溶け出しても、その溶け出したワックスはあて布に付着するだけであり、収納体の内側に付着することはない。このようなあて布は、取り外し可能に設けられているので、サーフボードが収納体から取り出されたときに、あて布も収納体から取り外すことができる。収納体の内側にはワックスは付着していないので、収納体を折り畳んでも問題はない。サーフボードを再び収納体に収納するときには、あて布を収納体の内側に取り付けて、サーフボードのデッキ面があて布に当接するように収納する。あて布以外にはワックスは付着していないので、サーフボードの滑走面にワックスが付着することを確実に防止することができる。
他の考案によると、収納体の内側に設けられているあて布は、少なくともその半分を前記収納体から取り外し、取り外した部分を折り返して、残っている部分に折り重ねることができるようになっている。サーフボードが収納体から取り出された後にあて布をこのように折り重ねると、ワックスが付着している面を内側にすることができる。そうすると収納体を丸めたり折り畳んだりしても、ワックスは収納体の内側には付着せず、サーフボードを収納したときに滑走面にワックスが付着することはない。また、この考案によると、あて布は完全に取り外されないので、あて布が紛失してしまうこともない。
【図面の簡単な説明】
【００１１】
【図１】本考案の第１の実施の形態に係る収納体と、サーフボードとを示す斜視図である。
【図２】従来周知のサーフボードの側面図である。
【図３】本考案の第２実施形態に係る収納体を示す図であり、その（ア）は収納体が展開された状態を、その（イ）はあて布が折り返されている状態をそれぞれ示す平面図である。
【考案を実施するための形態】
【００１２】
以下、図面を参照しながら、本考案の第１の実施の形態に係る収納体１０を説明する。図１に示されているように、本実施の形態に係る収納体１０も、従来の収納体と同様に、運搬時や保管時にサーフボード２０を収納する収納体である。この収納体１０に収納されるサーフボード２０は、従来周知のように、平面形状が略楕円形の板状部材から構成されている。そして、図２に示されているように、サーフボード２０の一方の面は、サーファーが乗るデッキ面２１に、他方は水面に接触する滑走面２２になっている。デッキ面２１には滑り止め用のワックスが塗布されているが、滑走面２２には、ワックスは塗布されていない。滑走面２２には、フィン２３が着脱可能に設けられている。
【００１３】
本実施の形態に係る収納体１０も、従来周知の収納体と同様にデッキ面２１を被覆する第１のカバー部材１２と、滑走面２２を被覆する第２のカバー部材１４とから構成されている。第１カバー部材１２と第２カバー部材１４は、略楕円形を呈しており、サーフボード２０の上面形状よりも若干大きい。これらのカバー部材１２、１４は、合成繊維の布からなるシート状の部材であり可撓性を備えている。第１、２のカバー部材１２、１４は、それぞれの所定の縁部、すなわち接続縁１３において接続されている。そして、第１、２のカバー部材１２、１４のそれぞれの周縁部のうち、接続縁１３以外の部分にはジッパー１５、１５が設けられている。従って、ジッパー１５、１５を締めると、第１、２のカバー状部材１２、１４は袋状に閉じ合わされ、ジッパー１５、１５を開くと、図１に示されているように、収納体１０の内側が実質的に完全に露出した状態で開くことができる。
【００１４】
本実施の形態に係る収納体１０においては、第１のカバー部材１２には、あて布１６が設けられている。あて布１６は、デッキ面２１とほぼ同じ形状を呈しており、合成繊維の布から構成されている。このあて布１６は、第１のカバー部材１２の内側に設けられているが、取り外し可能に設けられている。具体的には、第１のカバー部材１２の内側の周縁の部分と、あて布１６の裏面の縁部には、それぞれ面ファスナが設けられており、これらの面ファスナによってあて布１６が第１のカバー部材１２の内側に貼り付けられている。従って、あて布を第１のカバー部材１２の内側から取り外すことができる。図１には、これらの面ファスナは示されていない。
【００１５】
本実施の形態に係る収納体１０の作用を説明する。最初にサーフボード２０を収納体１０に収納する場合を説明する。ジッパー１５、１５を開く。そうすると収納体１０は内側が完全に露出した状態で開く。あて布１６が第１のカバー部材１２の内側に貼り付けられていることを確認する。デッキ面２１があて布１６に当接するようにサーフボード２０を第１のカバー部材１２の上に載せる。第２のカバー部材１４をサーフボード２０の滑走面２２の上に被せる。そして、ジッパー１５、１５を閉じる。そうすると、収納体１０は袋状に形成され、サーフボード２０は収納される。サーフボード２０は、このように収納体１０に収納されているので、気温が上昇してデッキ面２１に塗布されたワックスが溶け出しても、溶け出したワックスはあて布１６に付着するだけで、第１のカバー部材１２には付着しない。
【００１６】
収納体１０からサーフボード２０を取り出す場合を説明する。ジッパー１５、１５を開き、第１、２のカバー部材１２、１４を開く。サーフボード２０を取り出す。あて布１６を第１のカバー部材１２から取り外す。取り外したあて布１６は、ワックスが付着している面を内側にして折り畳み、所定の場所に保管する。あて布１６が取り外された第１のカバー部材１２と第２のカバー部材１４を重ね合わせ、この状態で収納体１０を丸める。あるいは折り畳む。そうすると、収納体１０はコンパクトになり保管するときに邪魔にならない。前記したように第１のカバー部材１２にはワックスは付着していないので、このように折り畳んでも、第２のカバー部材１４にもワックスは付着しない。
【００１７】
再びサーフボード２０を収納体１０に収納する場合には、収納体１０を広げて、第１、２のカバー部材１２、１４を開く。前記したように、あて布１６を第１のカバー部材１２の内側に貼り付けて、デッキ面２１があて布１６に当たるようにサーフボード２０を第１のカバー部材１２の上に載せる。第２のカバー部材１４をサーフボード２０の上に被せ、ジッパー１５、１５を締める。このようにして、サーフボード２０を収納体１０に収納することができる。第２のカバー部材１４にワックスは付着していないので、滑走面２２にはワックスは付着しない。
【００１８】
次に、図３によって本考案の第２の実施形態に係る収納体１０'を説明する。第１の実施の形態に係る収納体１０と同様の作用を奏する部材、または構成部品には同じ参照番号を付して詳しく説明しない。第２の実施の形態に係る収納体１０'にも、第１のカバー部材１２の内側にあて布１６'が設けられている。しかしながら、第２の実施の形態においては、このあて布１６'はその一部が第１のカバー部材１２に固定的に取り付けられている。従って、あて布１６'を第１のカバー部材１２から完全には取り外せないようになっている。より詳しく説明すると、あて布１６'は図３の（ア）において、符号１６ａで示されている下側の半分が、第１のカバー部材１２に縫いつけられている。そして符号１６ｂで示されている上側の半分は、面ファスナによって第１のカバー部材１２の内側に貼り付けられている。従って、上側の半分だけを取り外すことができる。この上側の半分１６ｂを外し、残った下半分１６ａに重ねるようにすると、図３の（イ）に示されているようにあて布１６を折り畳むことができる。なお、図３の（イ）には、あて布１６の上半分１６ｂを第１のカバー部材１２の内側に貼り付けている、取付手段が示されている。すなわち、あて布の上半分１６ｂの裏面には面ファスナー１９ａが、第１のカバー部材１２の内側には面ファスナー１９ｂが設けられている様子が示されている。
【００１９】
あて布１６には、デッキ面２１に当接する面と当接しない面とがあるが、図３において、デッキ面２１に当接する面には斜線が付されて示されている。図３の（ア）に示されているように、あて布１６の上半分１６ｂが第１のカバー部材１２の内側に貼り付けている場合には、デッキ面２１に当接する面は露出している。しかしながら、あて布１６の上半分１６ｂを外して下半分１６ａに重ねるようにすると、デッキ面２１に当接する面は内側に折り畳まれることになる。当業者であれば容易に理解されるように、あて布１６の、デッキ面２１に当接する面にはワックスが付着してしまうが、この面を内側に折り畳むようにすると、ワックスは他の部材に付着することはない。そうすると、第１、２のカバー部材１２、１４を重ねて折り畳んでも、第１、２のカバー部材１２、１４にはワックスは付着しない。従って、再びサーフボード２０を収納体１０'に収納する場合にも、滑走面２２にはワックスが付着することはない。なお、第２の実施の形態においては、あて布１６は第１のカバー部材１２から完全に取り外されないので、紛失し難いという利点がある。
【００２０】
本実施の形態に係る収納体は色々変形が可能である。例えば、第２の実施の形態においては、あて布１６は上半分が取り外し可能になっているように説明したが、下半分が取り外し可能になっていてもよく、左右のいずれか半分だけが取り外し可能になっていてもよい。また、あて布１６はデッキ面２１全体を覆うようにデッキ面２１と実質的に同じ形状に形成されているように説明したが、デッキ面２１のうちワックスが塗布される部分だけに対応していてもよい。すなわち、あて布１６は、デッキ面２１の中央部分近傍だけを覆うように、所定の形状に形成されていてもよい。また、あて布１６は第１のカバー部材１２に面ファスナーによって取り付けられているように説明したが、他の手段によって取り付けられていてもよく、例えばジッパー、ボタン等によって取り付けられていてよい。さらには、面ファスナーが設けられている部分についても変形が可能であり、面ファスナーはあて布１６の縁部だけでなく、あて布１６の裏面全体に設けられていてもよい。また、第１、２のカバー部材は、ジッパー１５、１５ではなく、面ファスナ、ボタン、フック等の他の開閉手段によって開閉できるようになっていてもよい。素材についても変形が可能である。上述の各実施形態においては、第１、２のカバー部材１２、１４、および、あて布１６は、合成繊維の布から構成されているように説明したが、塩化ビニル等の素材から構成されていてもよい。
本考案の第１、２の実施の形態に係る収納体は、サーフボードを１本だけ収納できる収納体になっているが、２本以上収納できる収納体についても同様に実施することが可能である。すなわち、収納体の内側に取り外し可能に複数枚のあて布を設けるようにして、複数枚のサーフボードを収納するときにそれぞれのサーフボードのデッキ面が対応するあて布に当接するようにし、サーフボードを取り出す場合には、あて布を収納体から取り外すようにする。
【符号の説明】
【００２１】
１０  収納体
１２  第１のカバー部材
１３  接続縁
１４  第２のカバー部材
１５  ジッパー
１６  あて布
２０  サーフボード
２１  デッキ面
２２  滑走面
【図１】
0003159591.tif 000003
【図２】
0003159591.tif 000004
【図３】
0003159591.tif 000005